(57)【要約】      （修正有）【課題】デザイン性に優れた防虫用金網及びその防虫用金網を用いた防虫用建具を提供する。【解決手段】金属製の線材を縦線材１及び横線材２に使用して織って形成してなり、縦線材１を、開き目が単位開き目寸法ｄ１の整数倍からなる複数の開き目寸法から選定した２種以上の開き目寸法となるように規則的に配置する。金網面が縞模様を呈するようになり、デザイン性に優れる。【選択図】図１
0003200039.tif 000002
【実用新案登録請求の範囲】
【請求項１】
金属製の線材を縦線材及び横線材に使用して織って形成してなる防虫用金網において、縦線材及び横線材の少なくとも一方の線材を、該線材の開き目が単位開き目寸法の整数倍からなる複数の開き目寸法から選定した２種以上の開き目寸法となるように規則的に配置することにより、金網面が縞模様を呈するようにしてなることを特徴とする防虫用金網。
【請求項２】
前記線材の開き目が単位開き目寸法の整数倍からなる複数の開き目寸法から選定した２種以上の開き目寸法となるように規則的に配置する線材の線径が０．１８ｍｍ以下で、メッシュが２０メッシュ以上、最大の開き目寸法が１．２０ｍｍ以下であることを特徴とする請求項１記載の防虫用金網。
【請求項３】
金属製の線材が、ステンレス鋼製の線材からなることを特徴とする請求項１又は２記載の防虫用金網。
【請求項４】
請求項１、２又は３記載の防虫用金網を用いた防虫用建具。
【考案の詳細な説明】
【技術分野】
【０００１】
本考案は、防虫用金網及びその防虫用金網を用いた防虫用建具に関し、特に、金属製の線材を縦線材及び横線材に使用して織って形成した防虫用金網及びその防虫用金網を用いた防虫用建具に関するものである。
【背景技術】
【０００２】
従来、網戸等の防虫用建具には、塩化ビニル樹脂、ポリオレフィン樹脂、ポリエステル樹脂等の合成樹脂製の網体が汎用されているが、合成樹脂製の網体は、強度が小さく、特に、熱に弱いため、防火・防炎性能に乏しいという問題があった。
【０００３】
この問題点を解消するために、ステンレス鋼等の金属製の線材を縦線材及び横線材に使用して織って形成した防虫用金網が用いられている。
【考案の概要】
【考案が解決しようとする課題】
【０００４】
ところで、この防虫用金網は、強度が大きく、特に、熱に強いため、防火・防炎性能に優れている反面、以下の問題があった。
（１）金網面が、金属的で、デザイン性に乏しい。
（２）金属製の線材自体の強度が大きいため、切断加工や曲げ加工に手数や技術を要する。
（３）金属製の線材を用いるため重量が重い。
【０００５】
本考案は、上記従来の防虫用金網の有する問題点に鑑み、デザイン性に優れた防虫用金網及びその防虫用金網を用いた防虫用建具を提供することを第１の目的とする。
【０００６】
さらに、本考案は、切断加工や曲げ加工を容易に行うことができ、併せて、重量を抑制した防虫用金網及びその防虫用金網を用いた防虫用建具を提供することを第２の目的とする。
【課題を解決するための手段】
【０００７】
上記第１目的を達成するため、本考案の防虫用金網は、金属製の線材を縦線材及び横線材に使用して織って形成してなる防虫用金網において、縦線材及び横線材の少なくとも一方の線材を、該線材の開き目が単位開き目寸法の整数倍からなる複数の開き目寸法から選定した２種以上の開き目寸法となるように規則的に配置することにより、金網面が縞模様を呈するようにしてなることを特徴とする。
【０００８】
また、上記第２目的を達成するため、本考案の防虫用金網は、前記線材の開き目が単位開き目寸法の整数倍からなる複数の開き目寸法から選定した２種以上の開き目寸法となるように規則的に配置する線材の線径が０．１８ｍｍ以下で、メッシュが２０メッシュ以上、最大の開き目寸法が１．２０ｍｍ以下であることを特徴とする。
【０００９】
この場合において、金属製の線材に、ステンレス鋼製の線材を用いることができる。
【００１０】
また、本考案の防虫用建具は、上記の防虫用金網を用いた防虫用建具である。
【考案の効果】
【００１１】
本考案の防虫用金網及びその防虫用金網を用いた防虫用建具によれば、金属製の線材を縦線材及び横線材に使用して織って形成してなる防虫用金網において、縦線材及び横線材の少なくとも一方の線材を、該線材の開き目が単位開き目寸法の整数倍からなる複数の開き目寸法から選定した２種以上の開き目寸法となるように規則的に配置することにより、金網面が縞模様を呈するようにすることができ、デザイン性に優れた防虫用金網及びその防虫用金網を用いた防虫用建具を提供することができる。
【００１２】
また、前記線材の開き目が単位開き目寸法の整数倍からなる複数の開き目寸法から選定した２種以上の開き目寸法となるように規則的に配置する線材の線径が０．１８ｍｍ以下で、メッシュが２０メッシュ以上、最大の開き目寸法が１．２０ｍｍ以下とすることにより、防虫用金網に求められる防虫効果、風通しの良さを備えながら、切断加工や曲げ加工を容易に行うことができ、併せて、重量を抑制した防虫用金網及びその防虫用金網を用いた防虫用建具を提供することができる。
【００１３】
また、金属製の線材に、ステンレス鋼製の線材を用いることにより、強度が大きく、耐久性に優れた防虫用金網及びその防虫用金網を用いた防虫用建具を提供することができる。
【図面の簡単な説明】
【００１４】
【図１】本考案の防虫用金網の実施例を示す正面図である。
【考案を実施するための形態】
【００１５】
以下、本考案の防虫用金網及びその防虫用金網を用いた防虫用建具の実施の形態を、図面に基づいて説明する。
【００１６】
図１に、本考案の防虫用金網の実施例を示す。
この防虫用金網は、金属製の線材を縦線材１及び横線材２に使用して織って形成してなり、縦線材１及び横線材２の少なくとも一方の線材（本実施例においては、縦線材１。）を、該線材の開き目が単位開き目寸法ｄ（本実施例においては、単位開き目寸法ｄ１。）の整数倍からなる複数の開き目寸法（本実施例においては、縦線材１を部分的に省略することによって複数の開き目寸法を形成するようにしている。このため、開き目寸法は、正確には、省略した縦線材１の線径を加えたものとなる。）から選定した２種以上の開き目寸法となるように規則的に配置することにより、金網面が縞模様を呈するようにしたものである。
【００１７】
ここで、図１（ａ）に示す例では、縦線材１を、縦線材１の開き目が単位開き目寸法ｄ１の１倍及び３倍の開き目寸法ｄ１、３ｄ１を、ｄ１、ｄ１、３ｄ１、ｄ１、ｄ１、３ｄ１、・・・の順に規則的に配置するようにしている。
【００１８】
また、図１（ｂ）に示す例では、縦線材１を、縦線材１の開き目が単位開き目寸法ｄ１の１倍、２倍及び３倍の開き目寸法ｄ１、２ｄ１、３ｄ１を、ｄ１、ｄ１、３ｄ１、２ｄ１、３ｄ１、ｄ１、ｄ１、３ｄ１、２ｄ１、３ｄ１、・・・の順に規則的に配置するようにしている。
【００１９】
また、図１（ｃ）に示す例では、縦線材１を、縦線材１の開き目が単位開き目寸法ｄ１の１倍、２倍及び３倍の開き目寸法ｄ１、２ｄ１、３ｄ１を、ｄ１、ｄ１、ｄ１、ｄ１、３ｄ１、２ｄ１、３ｄ１、２ｄ１、３ｄ１、ｄ１、ｄ１、ｄ１、ｄ１、３ｄ１、２ｄ１、３ｄ１、２ｄ１、３ｄ１、・・・の順に規則的に配置するようにしている。
【００２０】
ところで、本実施例においては、横線材２の開き目は、単位開き目寸法ｄ２の１倍の開き目寸法ｄ２で一定に配置するようにしている。
【００２１】
そして、縦線材１及び横線材２は、１本ずつ交互に上下、直角に交叉する平織構造としている。
【００２２】
なお、適宜の織機を用いることにより、縦線材１に代えて、横線材２を２種以上の開き目寸法となるように規則的に配置するようにしたり、縦線材１及び横線材２の両方の線材を２種以上の開き目寸法となるように規則的に配置するようにすること（この場合、金網面は格子模様（チェック模様）を呈するようになる。）もできる。
【００２３】
また、この防虫用金網の線材の開き目が単位開き目寸法の整数倍からなる複数の開き目寸法から選定した２種以上の開き目寸法となるように規則的に配置する線材（本実施例においては、縦線材１。）は、線径が０．１８ｍｍ以下（０．１０ｍｍ以上）で、メッシュが２０メッシュ以上（５０メッシュ以下）、最大の開き目寸法が１．２０ｍｍ以下（１．００ｍｍ以上）となるようにしている（括弧内は好ましい値。以下、同じ。）。
なお、最小の開き目寸法（単位開き目寸法）は、０．２０ｍｍ以上、０．４０ｍｍ以下に設定することが好ましい。
また、単位開き目寸法の１倍の開き目寸法で一定に配置する線材（本実施例においては、横線材２。）についても、線径が０．１８ｍｍ以下（０．１０ｍｍ以上）で、メッシュが２０メッシュ以上（５０メッシュ以下）、開き目寸法が１．２０ｍｍ以下（１．００ｍｍ以上）に設定することが好ましい。
また、開口率は、従来から汎用されている防虫用の合成樹脂製の網体や金網と同程度の６０％以上、好ましくは、６５％以上、より好ましくは、７０％以上（８０％以下）に設定することが好ましい。
これにより、防虫用金網に求められる防虫効果、風通しの良さ（開口率並びに金網の厚さ（線材の線径）によって生じる空気対流及び空気抵抗によって影響され、開口率が大きくなるほど、また、金網の厚さ（線材の線径）が小さくなるほど、風通しの良さが向上する。）を備えながら、切断加工や曲げ加工を容易に行うことができる。
【００２４】
図１（ａ）〜（ｃ）の防虫用金網及び従来から汎用されている防虫用金網（従来例）の諸元値を、表１に示す。
【００２５】
【表１】
0003200039.tif 000003
【００２６】
ところで、本実施例においては、金属製の線材に、ステンレス鋼製の線材を用いるようにしたが、線材には、アルミニウム、銅、黄銅等の各種の金属製の線材を用いることができ、また、各金属製の線材は、無垢の線材のほか、ポリウレタン被膜、顔料等を施すことによって着色した線材を用いることもできる。
【００２７】
この防虫用金網は、網戸や網窓等の防虫用建具に適用することによって、上記の作用効果を奏することができる。
【００２８】
以上、本考案の防虫用金網及びその防虫用金網を用いた防虫用建具について、複数の実施例に基づいて説明したが、本考案は上記実施例に記載した構成に限定されるものではなく、その趣旨を逸脱しない範囲において適宜その構成を変更することができるものである。
【産業上の利用可能性】
【００２９】
本考案の防虫用金網及びその防虫用金網を用いた防虫用建具は、デザイン性に優れ、さらに、切断加工や曲げ加工を容易に行うことができ、併せて、重量を抑制できるという特性を有していることから、防虫用金網及びその防虫用金網を用いた防虫用建具の用途に好適に用いることができる。
【符号の説明】
【００３０】
１  縦線材
２  横線材
【図１】
0003200039.tif 000004